(57)【要約】      （修正有）【課題】ハーフハイト型のトレイ方式の光ディスク装置において、ディスク回転に起因する流体損失と流体騒音を低減する。【解決手段】光ディスク装置１は、トップカバー２の下側であって且つトレイ７の上方に設けられたディスク上部板１４と、ディスク上部板を弾性的に支持する上部板支持部材１５と、シャーシ８又はディスク上部板又はそれらの両方に装着されたスペーサ１６と、を有している。スペーサの装着側でない端部は、ディスク上部板又はシャーシ又は別のスペーサに対し、光ディスクが回転していない状態又は低速で回転する状態では離れており、光ディスクが高速で回転する状態では接触している。【選択図】図３
2009163838.tif 000002
【特許請求の範囲】
【請求項１】
トップカバーとボトムカバーとを含む筐体と、該筐体内に配置されたベースと、光学ヘッド及びスピンドルモータを支持するシャーシと、該シャーシを前記ベースに弾性的に支持するための防振脚と、光ディスクを搬入及び搬出するトレイと、前記トレイが前記筐体の前端より突出するように移動する場合に前記シャーシを前傾させるシャーシ傾動機構と、を有する光ディスク装置において、
前記トップカバーの下側であって且つ前記トレイの上方に設けられたディスク上部板と、該ディスク上部板を弾性的に支持する上部板支持部材と、前記シャーシ又は前記ディスク上部板又はそれらの両方に装着されたスペーサと、を有し、前記スペーサの装着側でない端部は、前記ディスク上部板又は前記シャーシ又は別の前記スペーサに対し、前記光ディスクが回転していない状態又は低速で回転する状態では離れており、前記光ディスクが高速で回転する状態では接触していることを特徴とする光ディスク装置。
【請求項２】
請求項１記載の光ディスク装置において、前記スペーサは、前記トレイに設けられた孔又は切欠を貫通して、前記シャーシ又は前記ディスク上部板又はそれらの両方から主に上下方向に延びていることを特徴とする光ディスク装置。
【請求項３】
請求項２記載の光ディスク装置において、前記トレイには、前端側の２つの孔と後端側の２つの切欠が設けられており、前記スペーサは、前記孔及び切欠を貫通していることを特徴とする光ディスク装置。
【請求項４】
請求項１記載の光ディスク装置において、前記スペーサは、前記ベースの側面部に設けられた孔又は切欠を貫通して、前記シャーシ又は前記ディスク上部板又はそれらの両方から主に上下方向に延びていることを特徴とする光ディスク装置。
【請求項５】
請求項１記載の光ディスク装置において、前記上部板支持部材は、前記トップカバーに装着されていることを特徴とする光ディスク装置。
【請求項６】
請求項５記載の光ディスク装置において、前記上部板支持部材は、前記ディスク上部板の縁に全周状に延びていることを特徴とする光ディスク装置。
【請求項７】
請求項６記載の光ディスク装置において、前記トップカバーと前記上部板支持部材の間に閉空間が形成されていることを特徴とする光ディスク装置。
【請求項８】
請求項１記載の光ディスク装置において、前記上部板支持部材は、前記ベースの側面部に装着されていることを特徴とする光ディスク装置。
【請求項９】
請求項１記載の光ディスク装置において、前記ディスク上部板には、光ディスクの中心孔から突出したスピンドルモータの上端部と係合するクランパが装着されていることを特徴とする光ディスク装置。
【請求項１０】
請求項１記載の光ディスク装置において、前記ディスク上部板は、回転している状態の光ディスクを覆うことが可能な面積を有することを特徴とする光ディスク装置。
【発明の詳細な説明】
【技術分野】
【０００１】
本発明は、光ディスクの記録及び再生を行う光ディスク装置に関し、特に、ハーフハイト型のトレイ方式の光ディスク装置に関する。
【背景技術】
【０００２】
光ディスク装置は、ＣＤ(Compact Disc)、ＤＶＤ(Digital Versatile Disc)、ＢＤ(Blu-ray Disc)等の直径約１２０ｍｍのディスクに情報の記録及び再生を行う。光ディスク装置には、厚さ約４０ｍｍの箱型に構成されたハーフハイト型がある。ハーフハイト型の光ディスク装置は、タワー型のパソコン、家庭用録画再生機、ゲーム機用等に広く使用されている。
【０００３】
ハーフハイト型の光ディスク装置の最も一般的な構造は、トレイをディスクと共に筐体の前後方向に移動させるトレイ方式と呼ばれるものである。この方式の光ディスク装置では、スピンドルモータ、ピックアップ等の部品が組み込まれたシャーシは、トレイのやや下方に分離した形で配置されている。ディスクの搬入出のとき、シャーシはトレイの移動を妨げないように前側が傾動する。
【０００４】
近年、記録及び再生速度の向上や高記録密度化等の高性能化の要望から、ディスクの回転速度は、高速化している。そのため、スピンドルモータの消費電力の増大とディスクの回転によって発生する騒音の増加等が問題となっている。
【０００５】
スピンドルモータの消費電力は、スピンドルモータの機械的及び電気的損失であるモータ損失によるものと、ディスクの回転によってディスクが受ける空気の粘性抵抗によって発生する流体損失によるものがある。一般に、モータ損失は、ディスクの回転数のほぼ１乗に比例して増加するが、流体損失は、回転数の２乗以上に比例して増加すると言われている。更に、ハーフハイト型の光ディスク装置では、ディスクの回転数が、現行の最高回転数であるＤＶＤ１６倍速の１００００ｒｐｍのとき、流体損失がスピンドルモータの消費電力の約８割を占めると言われている。
【０００６】
ディスクの回転数が高くなると、スピンドルモータの消費電力が急増する。それによって、筐体内部の発熱が増加し、モータ電源仕様の見直し等の対策が必要となる。
【０００７】
一方、光ディスク装置における騒音は、装置各部の振動やスピンドルモータに起因する機械的騒音とディスクの回転によって発生する流体騒音とに分けられる。流体損失と同様に、光ディスク装置の騒音における流体騒音の占める割合は、ディスクの回転数が高くなるほど、機械的騒音に比べて、高くなると考えられる。
【０００８】
本願の発明者らはハーフハイト型の光ディスク装置を用いて実験したところ、ディスクの回転数が、現行の最高回転数の１００００ｒｐｍ以上でも、騒音（デシベル表示）が回転数のほぼ１乗に比例して増加するのを確認した。従って、ディスクの回転数の増加に伴い、流体損失、及び、流体騒音を抑制する必要がある。
【０００９】
非特許文献１には、容器内回転円板に対する流体損失の実験結果が示されている。特許文献１には、ディスク回転に伴う騒音及び振動を低減するために、トップカバー（文献ではカバープレート、以下同様に注記する）とディスクの間の距離を小さくするために、トップカバーに突出部を形成する構造が示されている。また、特許文献１の従来の技術の欄には、ベース（メインフレーム）の上部に固定される形で、ディスクの上方を覆うディスク上部板（チャックプレート）を設ける構造が示されている。
【００１０】
【特許文献１】特開２００３−２２８９７１号公報
【非特許文献１】日本機械学会論文集４１巻３４１号（昭和５０年）２００〜２０９頁
【発明の開示】
【発明が解決しようとする課題】
【００１１】
本願発明者は、非特許文献１に記載された流体損失の実験結果を解析した。光ディスク装置のディスク回転に伴う流体損失は、非特許文献１の回転円板の摩擦モーメント係数ＣＭに相当する。この非特許文献１の２０２頁の図３のデータから、光ディスク装置の場合のディスク上部隙間（円板及び容器壁間の隙間Ｓ）と摩擦モーメント係数ＣＭの関係を読み取ることができる。ディスク直径（＝２ｒ０）１２０ｍｍ、光ディスク装置内部の空気温度２０〜５０℃、回転数は現行の最大値１００００ｒｐｍとすると、横軸のレイノルズ数Ｒｅは２ｘ１０５〜２．４ｘ１０５が相当する。
【００１２】
通常の光ディスク装置では、ディスク上部隙間は、ディスクとトップカバーの間の隙間であり、７ｍｍ程度なので、隙間比Ｓ／ｒ０は０．１２となる。上記のレイノルズ数Ｒｅの範囲で摩擦モーメント係数ＣＭの隙間比Ｓ／ｒ０による変化を見ると、隙間比Ｓ／ｒ０が０．０２（Ｓ＝１．２）程度まで摩擦モーメント係数ＣＭは減少している。
【００１３】
これより、光ディスク装置でのディスク回転に伴う流体損失を低減するには、ディスク上部隙間を１．２ｍｍ程度まで小さくすればよいことが判る。しかしながら、実際のハーフハイト型の光ディスク装置では、ディスクの反りや組立て精度等の誤差を考慮する必要がある。従って、ディスク上部隙間は、実際には、２ｍｍ程度が適当である。
【００１４】
発明者らは、実際の光ディスク装置にディスク上部板を設置して、ディスク回転に伴う流体損失及び流体騒音の低減効果を検討した。その結果、図１０に示すように、ディスク上部隙間を狭めることで流体損失及び流体騒音が低減されることを確認できた。
【００１５】
そこで、光ディスク装置において流体損失及び流体騒音を低減するためには、ディスク上部隙間を２ｍｍ程度まで狭めればよいことになる。しかしながら、特許文献１に示されたトップカバーを突出させたり、ベースの上部にディスク上部板を固定する形でディスク上部隙間を２ｍｍ近くまで狭めた場合、次のような問題を生じる。
【００１６】
ディスクが高速で回転すると、ディスクの表面には空気の粘性に起因した気流が発生する。この気流は、ディスクの回転に従ってディスクの中心から外側に螺旋状に流れるので、ディスクの中心近くでは負圧となる傾向がある。ディスクの下部では、トレイ等の開口や部品間の隙間を介して、トレイの下側をディスクの中心に戻る流れが生じる。従って、ディスクの下部では、負圧はそれ程大きくならない。一方、ディスクの上部では、上方のトップカバーとの隙間が狭い場合、ディスクの中心に戻る流れはトップカバー側の表面に沿った限られたものとなる。そのため、ディスクの上部では負圧が大きくなり、ディスクは上向きの力を受ける。この上向きの力は、ディスクの回転数が高くなったり、ディスク上部隙間が狭くなるほど大きくなる。例えば、上向きのの力は、ディスクの回転数が１００００ｒｐｍ程度であり、且つ、ディスク上部隙間が７ｍｍの場合、０．１Ｎ程度である。しかしながら、ディスク上部隙間が２ｍｍの場合、この力は１Ｎ程度となり、さらにディスクの回転数を増加させたり、ディスク上部隙間を小さくすると、２〜３Ｎにも達する。
【００１７】
特許文献１の光ディスク装置の構造では、トップカバーやディスク上部板に向かう形でディスクに上向きの力が作用する。ディスクはスピンドルモータの上部と上方に配置されるクランパで挟まれて固定されるので、上向きの力はスピンドルモータを支持するシャーシに伝わる。また、シャーシはゴム製の防振脚を介してベースに対し弾性的に支持されており、トップカバーやディスク上部板はベースと接触・固定されている。そのため、ディスクの上向きの力は、ディスク→スピンドルモータ→シャーシ→防振脚→ベース→ディスク上部板又はトップカバーの経路を伝わり、経路の中で柔軟性のある防振脚を上向きに伸ばし、その分だけディスク上部隙間が狭まることになる。
【００１８】
ベースとシャーシを弾性支持する防振脚は、例えば１Ｎの力に対して０．２ｍｍ程度伸びるので、ディスクの回転数を高めたりディスク上部隙間をかなり狭い場合に生じる３Ｎ程度の力では０．６ｍｍも伸びることになる。因みに防振脚の硬度等の仕様は、制振性能やシャーシ全体の質量等から決められるため、負圧による伸び対策のための変更は難しい。
【００１９】
その結果、特許文献１のような構造でディスク上部隙間を小さくした光ディスク装置では、ディスクの回転数が高くなるとディスク上部の負圧による力で防振脚が伸び、ディスクやシャーシがかなり上昇する。そのため、ディスク上部隙間が回転しない状態で設定した２ｍｍ程度よりも狭まり、さらなる負圧の増加で隙間が狭まり過ぎてディスクがトップカバーやディスク上部板に接触し、正常に動作できなくなる等の大きな問題となる。
【００２０】
本発明の目的は、ハーフハイト型のトレイ方式の光ディスク装置において、流体損失と流体騒音の低減のためにディスクとその上方のディスク上部板とのディスク上部隙間を狭める構造としても、高速回転でもディスク上部隙間が設定値以上に保たれ正常に動作させることができる光ディスク装置を提供することにある。
【課題を解決するための手段】
【００２１】
本発明の光ディスク装置は、トップカバーの下側であって且つ前記トレイの上方に設けられたディスク上部板と、ディスク上部板を弾性的に支持する上部板支持部材と、シャーシ又はディスク上部板又はそれらの両方に装着されたスペーサと、を有している。スペーサの装着側でない端部は、ディスク上部板又はシャーシ又は別のスペーサに対し、光ディスクが回転していない状態又は低速で回転する状態では離れており、光ディスクが高速で回転する状態では接触している。
【００２２】
これにより、ディスクとの情報の再生あるいは記録再生時にディスク回転によりディスク上面に発生する負圧で上向きの力をディスクが受けても、力が伝わるディスク→スピンドルモータ→シャーシ→スペーサ→ディスク上部板の経路上に防振脚のような柔軟な部材がないので、ディスク上部板はシャーシやディスクに対して接触状態のスペーサで設定される隙間以上に保たれる。従って、高回転数ではディスクとディスク上部板が大きな負圧で密着させられても、ディスク上部隙間はディスク回転に伴う流体損失と流体騒音の低減効果が有効に得られる設定値に保たれ、従来の装置のようにディスクとディスク上部板の接触で動作の問題を生じることがない。
【発明の効果】
【００２３】
本発明によれば、ハーフハイト型のトレイ方式の光ディスク装置において、ディスク上部隙間の縮小によるディスク回転に伴う流体損失と流体騒音の低減効果が、高速回転でも装置の動作に問題を生じることなく良好に得られる。
【発明を実施するための最良の形態】
【００２４】
図１〜図５を参照して、本発明の光ディスク装置の第１の例を説明する。図１は、本例の光ディスク装置の概略構造を示す。図２は、図１で示した光ディスク装置のトップカバー及びディスク上部板を除いた平面構成を示す。図３は、図２の光ディスク装置を線Ｃ−Ｃに沿って切断した断面構成を示す。図４は、図２の光ディスク装置を線Ｄ−Ｄに沿って切断した断面構成を示す。図２〜図４は、ディスク６が回転し、情報の再生や記録を行っている状態である。図５は、図２の光ディスク装置を線Ｄ−Ｄに沿って切断した断面構成において、トレイが前方に引き出された状態を示す。図中、ＹＦは、前面側、ＹＢは背面側、ＸＲは、前面から見て右側、ＸＬは、前面から見て左側を表す。
【００２５】
図１に示すように、本発明による光ディスク装置１は、ＣＤ、ＤＶＤ、ＢＤ等の直径１２０ｍｍ、厚さ１．２ｍｍのディスク６に情報の記録及び再生を行う装置である。本例の光ディスク装置１は、トップカバー２、ボトムカバー３、及び、フロントパネル４を有し、これらを組み立てることによって、筐体が形成される。この筐体は、幅約１５０ｍｍ、奥行き１９５ｍｍ（これより奥行きが小さい場合もあり）、厚さ４０ｍｍの箱型である。本例の光ディスク装置１は、ハーフハイト型と呼ばれる。トップカバー２の内側には、ディスク上部板１４及びクランパ１３が装着されている。
【００２６】
筐体内には、ベース５、トレイ７及びシャーシ８が装着されている。ベース５は躯体を構成する。ベース５には、シャーシ８が、ゴム製等の防振脚１１を介して弾性的に支持されている。シャーシ８には、ディスク６に対して情報の記録再生を行うピックアップ９、ディスク６を回転駆動するスピンドルモータ１０等の部品が組込まれている。シャーシ８は、トレイ７とは分離して構成されている。ベース５の下面には、配線基板１２が装着されている。またピックアップ９と配線基板１２は、フレキシブル配線（図示せず）によって接続されている。トレイ７には２つの孔１７Ａと２つの切欠１７Ｂが形成されているが、これについては後に詳細に説明する。トレイ７は矢印Ｂの方向に移動する。
【００２７】
図２〜図４を参照して、本発明による光ディスク装置１を更に説明する。図２〜図４は、ディスク６が回転し、ディスク６に記録された情報の再生を行っている状態、又は、ディスク６に情報を記録している状態を示す。
【００２８】
トップカバー２の下側には、上部板支持部材１５によって、ディスク上部板１４が吊り下げる形で支持されている。上部板支持部材１５は弾性変形可能な材料によって形成されており、ディスク６が高速回転して発声する負圧が大きくなるとディスク上部板１４がディスク６寄りに移動できるようになっている。上部板支持部材１５は、トップカバー２の縁に沿って全周状に延びていているが、安定して支持できるのであればその一部が欠落していてもよい。トレイ７上に配置されたディスク６は、スピンドルモータ１０の上部とクランパ１３に挟まれて固定されている。トレイ７には２つの孔１７Ａと２つの切欠１７Ｂが形成されて、この孔１７Ａ及び切欠き１７Ｂを貫通型スペーサ１６が貫通している。貫通型スペーサ１６は、シャーシ８から横方向に孔１７Ａや切欠き１７Ｂに向かって延び、更に上方に延びてディスク上部板１４に向かっている。
【００２９】
図４及び図５を参照して、シャーシ８の傾動機構について説明する。シャーシ傾動機構は、第１の部分１８と第２の部分１９からなる。第１の部分１８の突起は、第２の部分１９の孔に係合している。シャーシ８の前端は、第１の部分１８に装着された防振脚１１によって支持され、シャーシ８の後端は、ベース５に装着された防振脚１１によって支持されている。
【００３０】
ディスク６を搬出する際は、図５に示すように、第２の部分１９が筐体の左右方向に移動し、第２の部分１９の孔に係合した第１の部分１８の突起が水平状態から下降する。そのため、第１の部分１８に装着された防振脚１１が下降し、シャーシ８は図示のように前下がりに傾斜する。シャーシ８の前傾と一緒に、シャーシ８の前端に装着された貫通型スペーサ１６は下降し、前端側の貫通型スペーサ１６は、トレイ７の前側に形成された孔１７Ａから抜ける。次にトレイ７が、両側をベース５に接触及び支持された状態で、矢印Ｆのように筐体から突出する方向に移動する。後端側の貫通型スペーサ１６は、トレイ７の移動によりトレイ７の後端に形成された切欠き１７Ｂから抜ける。従って、貫通型スペーサ１６がトレイ７の移動を妨げることはない。ディスク６を搬入する場合も、上記と逆順に動作するので、貫通型スペーサ１６がトレイ７の移動を妨げることはない。
【００３１】
図２から図４を参照して、ディスク６が回転している状態での、本発明による光ディスク装置の特徴を説明する。発明が解決しようとする課題にて説明したように、ディスク６が高速で回転すると、ディスク６とディスク上部板１４との間に負圧が発生し、ディスク６をディスク上部板１４に密着させる上向きの力が生じる。この力は貫通型スペーサ１６があることによって、ディスク６→スピンドルモータ９→シャーシ８→貫通型スペーサ１６→ディスク上部板１４の経路で伝わるようになる。ただし、この経路上には、発明が解決しようとする課題の特許文献１の構造のように柔軟性のある防振脚が含まれていない。従って、力が大きくなっても、ディスク上部板１４とディスク６の隙間、即ちディスク上部隙間は、ディスク上部板１４と貫通型スペーサ１６が接触した状態で決まる隙間以上に保たれる。これにより、貫通型スペーサ１６を予め調整しておけば、損失や騒音が大きくなる高速回転状態でもディスク上部隙間は設定値に保たれるので、ディスクとディスク上部板の接触で動作の問題を生じることがなく、ディスク上部隙間縮小による流体損失と流体騒音の低減効果が有効に得られるようになる。
【００３２】
なお、高速回転ではディスク上部板１４とシャーシ８と貫通型スペーサ１６を介して一体化して動くが、シャーシ８に比べてディスク上部板１４は軽量であるため、防振脚によるシャーシ８の制振作用が影響を受けることはあまりない。
【００３３】
従来の光ディスク装置では、ディスク上部板１４とクランパ１３の僅かな隙間があることで、トップカバー２とディスク上部板１４の間の空間とディスク上部隙間の間に気流、即ち貫流を生じる。この貫流は、ディスク上部板１４の下方では外向きに流れ、ディスク上部板１４の上方では内向きに流れて、ディスク６の表面に沿った外向きの流れを増やすので、流体損失を増加させる。このような貫流に対し、本発明の光ディスク装置によると、図２に示されたように、ディスク上部板１４は上部板支持部材１５で全周をトップカバー２に対し支持されている。従って、トップカバー２とディスク上部板１４の間の空間は、密閉空間となっており、ディスク上部板１４とクランパ１３の間の隙間には空気が流れることはない。そのため、この発明の構造では、貫流による流体損失の増加は抑えられる。
【００３４】
以上のように、本例によると、ディスク上部隙間を流体損失及び騒音低減に有効な基準寸法に設定することができ、その際に、従来技術のような装置の動作の問題を招くこともなく、流体損失及び騒音の低減効果を良好に得ることができる。
【００３５】
図６〜図９を参照して、本発明の光ディスク装置の第２の例を説明する。図６は、本例の光ディスク装置のトップカバー及びディスク上部板を除いた平面構成を示す。図７は、図６の光ディスク装置を線Ｃ−Ｃに沿って切断した断面構成を示す。図８は、図６の光ディスク装置を線Ｄ−Ｄに沿って切断した断面構成を示す。図６〜図８は、ディスク６が回転し、情報の再生や記録を行っている状態である。図９は、図６の光ディスク装置を線Ｄ−Ｄに沿って切断した断面構成において、トレイが前方に引き出された状態を示す。本例の光ディスク装置の部品のうち、第１の例の部品と同じ参照符号を付した部品は、同一の部品であることを示し、その説明は省略する。以下では、主として、第１の例と異なる部分の説明を行う。  
【００３６】
トップカバー２の下側には、上部板支持部材１５によって、ディスク上部板１４が支持されている。上部板支持部材１５は、ベース５の両側の側面部（の上端）に装着され、弾性変形可能な材料によって形成されているので、ディスク６が高速回転して発声する負圧が大きくなるとディスク上部板１４がディスク６寄りに移動できる。上部板支持部材１５は、ディスク上部板１４とベース５を全周ではないが両側の側面で接続し、ディスク上部板１４を安定的に支持している。
【００３７】
ベース５の両側の側面部には４つの孔１７Ａ、１７Ｂが形成されて、この孔１７Ａ、１７Ｂを貫通型スペーサ１６が装着されている。貫通型スペーサ１６は、シャーシ８とディスク上部板１４から別々に延びている。即ち、シャーシ８からの貫通型スペーサ１６は、ベース５の側面部に向かって横方向、次に下方に延びてベース５の側面部に達している。また、ディスク上部板１４からの貫通型スペーサ１６は、横方向に延びてベース５の側面部に達し、次に下方に延びて、シャーシ８からの貫通型スペーサ１６と接触できるようになっている。
【００３８】
図８及び図９を参照することで、シャーシ８の傾動機構について知ることができる。第１の例と比べ本例では、貫通型スペーサ１６がシャーシ８とディスク上部板１４から別々に延びていることと、貫通型スペーサ１６が通る孔１７Ａ、１７Ｂがベース５に形成されている点が異なる。ディスク６を搬出する際には、第１の例と同様に、シャーシ傾動機構の第１の部分１８と第２の部分１９の動作によりシャーシ８のまず前傾し、次にトレイ７が、両側をベース５に接触及び支持された状態で、矢印Ｆのように筐体から突出する方向に移動する。貫通型スペーサ１６は、トレイ７の幅より外側にある方向ベース５の側面部の孔１７Ａ、１７Ｂを通るので、トレイ７の移動を妨げることはない。ディスク６を搬入する場合も、同様に貫通型スペーサ１６がトレイ７の移動を妨げることはない。
【００３９】
図６から図８を参照することで、ディスク６が回転している状態での、本例の光ディスク装置の特徴を知ることができる。第１の例で説明したように、ディスク６が高速で回転すると、ディスク６とディスク上部板１４との間に負圧が発生し、両者を密着させる上向きの力が生じる。この力は貫通型スペーサ１６があることによって、本例でもディスク６→スピンドルモータ９→シャーシ８→貫通型スペーサ１６→ディスク上部板１４の経路で伝わる。この経路上には柔軟性のある防振脚が含まれていないので、力が大きくなっても、ディスク上部板１４とディスク６の隙間、即ちディスク上部隙間は、貫通型スペーサ１６どおしが接触した状態で決まる隙間以上に保たれる。従って本例の光ディスク装置においても、貫通型スペーサ１６を予め調整しておくことで、損失や騒音が大きくなる高速回転状態でもディスク上部隙間は設定値に保たれるので、ディスクとディスク上部板の接触で動作の問題を生じることがなく、ディスク上部隙間縮小による流体損失と流体騒音の低減効果が有効に得られるようになる。
【００４０】
本例の光ディスク装置では、ディスク上部板１４は上部板支持部材１５によって、全周でなく両側の側面だけが支持されている。トップカバー２とディスク上部板１４の間の空間は密閉空間となっていないため、本例では第１の例と比べ流体損失と騒音の低減効果が若干抑えられるものの、従来の光ディスク装置に対しては十分大きな低減効果が得られる。
【００４１】
以上のように、本例においても、ディスク上部隙間を流体損失及び騒音低減に有効な基準寸法に設定することができ、その際に、従来技術のような装置の動作の問題を招くこともなく、流体損失及び騒音の低減効果を良好に得ることができる。
【００４２】
以上本発明の例を説明したが、本発明は上述の例に限定されるものではなく、特許請求の範囲に記載されたい発明の範囲にて様々な変更が可能であることは当業者によって容易に理解されよう。
【図面の簡単な説明】
【００４３】
【図１】本発明の光ディスク装置の第１の例の概略構造を示す分解斜視図である。
【図２】本発明の光ディスク装置の第１の例のトップカバー及びディスク上部板を除いた平面図である。
【図３】図２の光ディスク装置を線Ｃ−Ｃに沿って切断した断面図である。
【図４】図２の光ディスク装置を線Ｄ−Ｄに沿って切断した断面図である。
【図５】図２の光ディスク装置を線Ｄ−Ｄに沿って切断した断面図である。
【図６】本発明の光ディスク装置の第１の例のトップカバー及びディスク上部板を除いた平面図である。
【図７】図６の光ディスク装置を線Ｃ−Ｃに沿って切断した断面図である。
【図８】図６の光ディスク装置を線Ｄ−Ｄに沿って切断した断面図である。
【図９】図６の光ディスク装置を線Ｄ−Ｄに沿って切断した断面図である。
【図１０】ディスク上部隙間と流体損失及び騒音の関係を説明する図である。
【符号の説明】
【００４４】
１…光ディスク装置、２…トップカバー、３…ボトムカバー、４…フロントパネル、…５ベース、６…ディスク、７…トレイ、８…シャーシ、９…ピックアップ、１０…スピンドルモータ、１１…防振脚、１２…配線基板、１３…クランパ、１４…ディスク上部板、１５…上部板支持部材、１６…貫通型スペーサ、１７Ａ…孔、１７Ｂ…切欠、１８…シャーシ傾動機構の第１の部分、１９…シャーシ傾動機構の第２の部分
【図１】
2009163838.tif 000003
【図２】
2009163838.tif 000004
【図３】
2009163838.tif 000005
【図４】
2009163838.tif 000006
【図５】
2009163838.tif 000007
【図６】
2009163838.tif 000008
【図７】
2009163838.tif 000009
【図８】
2009163838.tif 000010
【図９】
2009163838.tif 000011
【図１０】
2009163838.tif 000012